(57)【要約】【課題】  本考案は、包装機で本を包装したり紐で結わいたりしなくても本を自由に開くことを防いで立ち読みを防止できる読み防止機能付本を提供する。【解決手段】  立ち読み防止機能付本１０の表表紙１２と裏表紙１４との間には第１折丁２０、第２折丁２２、第３折丁２４、第４折丁２６が配設されている。第１折丁２０と第２折丁２２の間にはシート紙２８が配設されている。シート紙２８のカバーシート片３２は小口カバー片部４０と接着片部４２に区画され、接着片部４２の裏面４２Ａには接着部４４が設けられている。従って、折線３３を折り曲げてカバーシート片３２の小口カバー片部４０で第２折丁２２の小口２２Ａ、第３折丁２４の小口２４Ａ、第４折丁２６の小口２６Ａを覆った後に接着部４４を第４折丁２６の裏面２６Ｂに接着すると第２折丁２２、第３折丁２４、第４折丁２６はカバーシート片３２に覆われるようになっている。【選択図】  図１
0003106810.tif 000002
【実用新案登録請求の範囲】
【請求項１】
表表紙と、裏表紙と、表表紙と裏表紙の間に配設される複数の折丁と、これら折丁と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は裏表紙と接着する接着部と、を有してなることを特徴とする立ち読み防止機能付本。
【請求項２】
表表紙と、裏表紙と、表表紙と裏表紙の間に配設される複数の折丁と、これら折丁と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は表表紙と接着する接着部と、を有してなることを特徴とする立ち読み防止機能付本。
【請求項３】
表表紙と、裏表紙と、表表紙と裏表紙の間に配設される折丁と、前記表表紙と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は裏表紙と接着する接着部と、を有してなることを特徴とする立ち読み防止機能付本。
【請求項４】
表表紙と、裏表紙と、表表紙と裏表紙の間に配設される折丁と、前記裏表紙と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は表表紙と接着する接着部と、を有してなることを特徴とする立ち読み防止機能付本。
【考案の詳細な説明】
【技術分野】
【０００１】
本考案は、本に関し、詳しくは立ち読み等を効果的に防止することができる立ち読み防止機能付本に関する。
【背景技術】
【０００２】
書店の店頭に置かれる本の立ち読みを防ぐために本をビニールシートで包装したり、本を紐で結わいたりして本を開けなくなるようにして立ち読みを防止している。
しかし、ビニールシートで本を包装したり、本を紐で結わくには製本された本をあらためて包装機にかけてビニールシートで本を包装したり紐で結わいたりするため製造工程が増加して煩雑になると共に本のコストアップの原因になっている。
【考案の開示】
【考案が解決しようとする課題】
【０００３】
本考案は、上記事実に鑑みなされたものであり包装機で本を包装したり紐で結わいたりしなくても本を自由に開くことを防いで立ち読みを効果的に防止できる読み防止機能付本を提供するものである。
【課題を解決するための手段】
【０００４】
請求項１の考案は、表表紙と、裏表紙と、表表紙と裏表紙の間に配設される複数の折丁と、これら折丁と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は裏表紙と接着する接着部と、を有してなることを特徴としている。
請求項２の考案は、表表紙と、裏表紙と、表表紙と裏表紙の間に配設される複数の折丁と、これら折丁と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は表表紙と接着する接着部と、を有してなることを特徴としている。
請求項３の考案は、表表紙と、裏表紙と、表表紙と裏表紙の間に配設される折丁と、前記表表紙と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は裏表紙と接着する接着部と、を有してなることを特徴としている。
請求項４の考案は、表表紙と、裏表紙と、表表紙と裏表紙の間に配設される折丁と、前記裏表紙と折丁の間に配設されて折丁と共に綴じられるシート体と、このシート体の一側部に折線を介して連続して一体形成されると共に前記折丁の小口を覆うカバーシート片と、このカバーシート片に上下方向に沿って形成されると共にカバーシート片を小口カバー片部と接着片部に区画する破断線と、前記接着片部に設けられると共に前記折丁又は表表紙と接着する接着部と、を有してなることを特徴としている。
【考案の効果】
【０００５】
本考案の立ち読み防止機能付本は、破断線を破断しカバーシート片を切らないと本を読むことはできないので立ち読みを防止することができるという優れた効果を有する。
また、本考案の立ち読み防止機能付本は、従来のように製本された本をあらためて包装機にかけてビニールシートで包装したり、紐で本を結わいたりする必要がないので本の製造工程を少なくすることができるという優れた効果を有する。
また、本考案の立ち読み防止機能付本は、小口の大部分はカバーシート片に覆われて日焼けしないので返品された場合に磨き作業の手間を大幅に少なくすることができるという優れた効果を有する。
さらに、本考案の立ち読み防止機能付本は、破断線が破断されていない場合は未読であることが一目瞭然でわかるので、新古本買取店や古本店等に買い取り目的で持ち込まれた本であるか否かを容易に知ることができ、社会問題化している書店等で万引きした本を新古本買取店や古本店等に転売して換金することを防止できるという優れた効果を有する。
【考案を実施するための最良の形態】
【０００６】
考案を実施するために最良の形態の例として以下のような実施例を示す。
【実施例１】
【０００７】
図１〜図３には本考案に係る立ち読み防止機能付本の第１実施例が示されている。
図１に示されるように、立ち読み防止機能付本１０の表表紙１２と裏表紙１４は背表紙１６を挟んで連続形成されている。また、これら表表紙１２、裏表紙１４、背表紙１６はブックカバーを兼ねている。
前記表表紙１２と裏表紙１４との間には第１折丁２０、第２折丁２２、第３折丁２４、第４折丁２６が並んだ状態で配設されている。この実施例では前記第１折丁２０、第２折丁２２、第３折丁２４、第４折丁２６はそれぞれ３２頁が一緒に折られて形成されている。従って、第１折丁２０には１頁から３２頁が形成され、第２折丁２２には３３頁から６４頁が形成され、第３折丁２４には６５頁から９６頁が形成され、第４折丁２６には９７頁から１２８頁が形成されている。
また、前記第１折丁２０と第２折丁２２間には前記第１折丁２０、第２折丁２２、第３折丁２４、第４折丁２６と一緒に綴じられるシート体としての厚紙で形成されたシート紙２８が１枚配設されている。このシート紙２８には差込片３０とカバーシート片３２が連続形成され、差込片３０とカバーシート片３２は折線３３によって区画されている。この差込片３０の幅寸法Ｈは前記第１折丁２０、第２折丁２２、第３折丁２４、第４折丁２６の幅寸法Ｈと同じに寸法に設定されている。
図２に示されるように、前記カバーシート片３２の先端部にはミシン目３６，３６によって帯状に形成された破断線としての破断帯３８が設けられている。この破断帯３８を設けることにより前記カバーシート片３２は折丁の小口（折丁の側面）を覆う小口カバー片部４０と接着片部４２に区画形成されている。また、接着片部４２の裏面４２Ａには接着剤が塗布されて形成された接着部４４が設けられている。
従って、図３に示されるように、前記折線３３を折り曲げてカバーシート片３２の小口カバー片部４０で前記第２折丁２２の小口２２Ａ、第３折丁２４の小口２４Ａ、第４折丁２６の小口２６Ａを覆った後に接着片部４２の接着部４４が前記第４折丁２６の裏面２６Ｂと接着できるようになっている。
この結果、裏表紙１４とシート紙２８の間に位置している第２折丁２２、第３折丁２４、第４折丁２６を開きたくても前記第２折丁２２、第３折丁２４、第４折丁２６はカバーシート片３２によって覆われているので、ミシン目３６，３６を切って破断帯３８を破断しないと第２折丁２２、第３折丁２４、第４折丁２８を開くことはできないので、破断帯３８を破断するという心理的効果により間接的に立ち読みを防止することができる。
【０００８】
次に、第１実施例の立ち読み防止機能付本１０の作用を説明する。
図３に示されるように、前記立ち読み防止機能付本１０の第２折丁２２、第３折丁２４、第４折丁２６はカバーシート片３２によって覆われた状態で店頭に置かれる。
従って、前記破断帯３８を破断させてカバーシート片３２の小口カバー片部４０と接着片部４２を分離させないと第２折丁２２、第３折丁２４、第４折丁２６を開いて読むことはできないので立ち読みを防止することができる。
また、前記破断帯３８を破断して小口カバー片部４０と接着片部４２を分離させると第２折丁２２、第３折丁２４、第４折丁２６を開いて読むことができるが、破断帯部３８を破断するという心理的効果により間接的に立ち読みを防止することができる
なお、立ち読み防止機能付本１０を購入した場合は破断帯３８を破断すれば第２折丁２２、第３折丁２４、第４折丁２６を開いて読むことはできるので通常通り本を読むことができる。
この結果、従来のように製本された本をあらためて包装機にかけてビニールシートで包装したり、紐で本を結わいたりする必要がないので本の製造工程を少なくしてコストを抑えることができる。
また、一般に本は書店で売れ残って返品されると日焼けした本の上面である天、下面である地、側面である小口を磨いてきれいにして再度販売する場合があるが、立ち読み防止機能付本１０の大部分を占める第２折丁２２の小口２２Ａ、第３折丁２４の小口２４Ａ、第４折丁２６の小口２６Ａは前記カバーシート片３２に覆われて店頭に置かれるので第２折丁２２の小口２２Ａ、第３折丁２４の小口２４Ａ、第４折丁２６の小口２６Ａが日焼けするおそれがないので、返品された場合に立ち読み防止機能付本１０の小口を磨く必要がなく、天と地だけを磨けばよいので大幅に磨き作業の手間を省くことができる。
さらに、立ち読み防止機能付本１０は立ち読みを防止するためにビニールシートや紐を必要としないので、ビニールシートや紐の廃棄物の発生を未然に防ぐことができる。
なお、本考案の立ち読み防止機能付本１０を読むためにはカバーシート片３２の破断帯３８を破断する必要がある。このため、前記破断帯３８が破断されていない立ち読み防止機能付本１０は未読の本であるため、新古本買取店や古本店等に買い取り目的で持ち込まれた破断帯３８が破断されていない立ち読み防止機能付本１０は転売目的で持ち込まれた本である可能性が高いので買取側の新古本買取店や古本店等にその事実を間接的に知らせることにより転売を阻止すると共に、その結果、社会問題化している書店等で万引きした本を新古本買取店や古本店等に転売して換金することを防止することができる。
【０００９】
なお、前記接着部４４を形成するのは接着片部４２の裏面４２Ａに限定されるものではなく、例えば前記カバーシート片３２の接着片部４２の正面４２Ｂに接着剤を塗布して接着部４４を形成することにより、前記折線３３を折り曲げてカバーシート片３２の小口カバー片部４０で前記第２折丁２２の小口２２Ａ、第３折丁２４の小口２４Ａ、第４折丁２６の小口２６Ａを覆った後に接着片部４２の接着部４４を裏表紙１４の内側面１４Ａに接着するようにしてもよい。
また、前記シート紙２８の差込片３０を差し込む位置は第１折丁２０と第２折丁２２の間に限定されるものでなく、例えば第２折丁２２と第３折丁２４の間に差し込んでもよいことは勿論である。
【００１０】
図４には立ち読み防止機能付本の第２実施例が示されている。なお、第１実施例の立ち読み防止機能付本１０と同一の構成は同一の符合を付してその説明を省略する。
図４に示されるように、第２実施例の立ち読み防止機能付本５０は前記第３折丁２４と第４折丁２６間に前記シート紙２８が１枚配設されている。
このシート紙２８のカバーシート片３２の接着片部４２の正面４２Ｂには接着部４４が形成されている。従って、このシート紙２８の折線３３を折り曲げてカバーシート片３２の小口カバー片部４０で前記第３折丁２４の小口２４Ａ、第２折丁２２の小口２２Ａ、第１折丁２０の小口２０Ａを覆った後に前記接着部４４を第１折丁２０の正面２０Ｂと接着させると、小口カバー片部４０が第３折丁２４の小口２４Ａ、第２折丁２２の小口２２Ａ、第１折丁２０の小口２０Ａをカバーするようになっている。
なお、前記カバーシート片３２の接着片部４２の裏面４２Ａに接着剤を塗布して接着部４４を形成することにより、前記折線３３を折り曲げてカバーシート片３２の小口カバー片部４０で前記第３折丁２４の小口２４Ａ、第２折丁２２の小口２２Ａ、第１折丁２０の小口２０Ａをカバーした後に接着片部４２の接着部４４を表紙１４の内側面１２Ａに接着するようにしてもよい。
なお、他の構成及び作用、効果は第１実施例の立ち読み防止機能付本１０と同一であるので、その説明は省略する。
【００１１】
図５には立ち読み防止機能付本の第３実施例が示されている。なお、第１実施例の立ち読み防止機能付本１０と同一の構成は同一の符合を付してその説明を省略する。
図５に示されるように、第３実施例の立ち読み防止機能付本６０は前記表表紙１２と第１折丁２０の間に前記シート紙２８が１枚配設されている。
シート紙２８の接着片部４２の裏面４２Ａには接着部４４が形成されている。従って、このシート紙２８の折線３３を折り曲げてカバーシート片３２の小口カバー片部４０で前記第１折丁２０の小口２０Ａ、第２折丁２２の小口２２Ａ、第３折丁２４の小口２４Ａ、第４折丁２６の小口２６Ａを覆った後に接着片部４２の接着部４４を第４折丁２６の裏面２６Ｂと接着させると、小口カバー片部４０が第１折丁２０の小口２０Ａ、第２折丁２２の小口２２Ａ、第３折丁２４の小口２４Ａ、第４折丁２６の小口２６Ａをカバーするようになっている。
なお、前記カバーシート片３２の接着片部４２の正面４２Ｂに接着剤を塗布して接着部４４を形成することにより、前記折線３３を折り曲げてカバーシート片３２の小口カバー片部４０で前記第１折丁２０の小口２０Ａ、第２折丁２２の小口２２Ａ、第３折丁２４の小口２４Ａ、第４折丁２６の小口２６Ａを覆った後に接着片部４２の接着部４４を裏表紙１４の内側面１４Ａに接着するようにしてもよい。
なお、他の構成及び作用、効果は第１実施例の立ち読み防止機能付本１０と同一であるので、その説明は省略する。
【００１２】
図６には立ち読み防止機能付本の第４実施例が示されている。なお、第１実施例の立ち読み防止機能付本１０と同一の構成は同一の符合を付してその説明を省略する。
図６に示されるように、第４実施例の立ち読み防止機能付本７０は前記裏表紙１４と第４折丁２６の間に前記シート紙２８が１枚配設されている。このシート紙２８のカバーシート片３２の接着片部４２の正面４２Ｂには接着部４４が形成されている。
従って、このシート紙２８の折線３３を折り曲げてカバーシート片３２の小口カバー片部４０で前記第４折丁２６の小口２６Ａ、第３折丁２４の小口２４Ａ、第２折丁２２の小口２２Ａ、第１折丁２０の小口２０Ａを覆った後に接着片部４２の接着部４４を第１折丁２０の正面と接着させると、小口カバー片部４０が第４折丁２６の小口２６Ａ、第３折丁２４の小口２４Ａ、第２折丁２２の小口２２Ａ、第１折丁２０の小口２０Ａをカバーするようになっている。
なお、前記カバーシート片３２の接着片部４２の裏面４２Ａに接着剤を塗布して接着部４４を形成することにより、前記折線３３を折り曲げてカバーシート片３２の小口カバー片部４０で前記第４折丁２６の小口２６Ａ、第３折丁２４の小口２４Ａ、第２折丁２２の小口２２Ａ、第１折丁２０の小口２０Ａを覆った後に接着片部４２の接着部４４を表表紙１２の内側面１２Ａに接着するようにしてもよい。
なお、他の構成及び作用、効果は第１実施例の立ち読み防止機能付本１０と同一であるので、その説明は省略する。
【００１３】
なお、実施例では折丁は第１折丁２０、第２折丁２２、第３折丁２４、第４折丁２６の４つの折丁から成る立ち読み防止機能付本１０，５０，６０，７０本を示したが、綴じられる折丁の数は４つに限定されるものでないことは勿論である。
また、実施例では背表紙１６を有する立ち読み防止機能付き本１０，５０，６０，７０を示したが、背表紙１６が無く表表紙１２と裏表紙１４とからなる本でもよいことは勿論である。
なお、実施例ではシート体としての厚紙で形成されたシート紙２８を示したが、シート体は紙以外の素材で形成してもよいことは勿論である。
また、第１実施例では第１折丁２０と第２折丁２２の間にシート紙２８を配設したが、シート紙２８の配設位置は第１折丁２０と第２折丁２２の間に限定されるものでないことは勿論である。
なお、第３実施例及び第４実施例では、カバーシート片３２の小口カバー片部４０で４つの折丁である第１折丁２０の小口２０Ａ、第２折丁２２の小口２２Ａ、第３折丁２４の小口２４Ａ、第４折丁２６の小口２６Ａを全てカバーする場合を示したが、カバーする折丁の数は４つ全部でなく３つ以下でもよいことは勿論である。
また、実施例では破断線としてミシン目３６，３６によって帯状に形成された破断帯３８を示したが、これに限定されるものでなく１本のミシン目からなる破断線等でもよいことは勿論である。
【図面の簡単な説明】
【００１４】
【図１】第１実施例の立ち読み防止機能付本を綴じる前の斜視図である。
【図２】第１実施例の立ち読み防止機能付本に使用されるシート紙の全体斜視図である。
【図３】第１実施例の立ち読み防止機能付本を開いた状態の斜視図である。
【図４】第２実施例の立ち読み防止機能付本を綴じる前の斜視図である。
【図５】第３実施例の立ち読み防止機能付本を綴じる前の斜視図である。
【図６】第４実施例の立ち読み防止機能付本を綴じる前の斜視図である。
【符号の説明】
【００１５】
１０    立ち読み防止機能付本
１２    表表紙
１４    裏表紙
２０    第１折丁
２２    第２折丁
２４    第３折丁
２６    第４折丁
２８    シート紙
３０    差込片
３２    カバーシート片
３３    折線
３６    ミシン目
３８    破断帯
４０    小口カバー片部
４２    接着片部
４４    接着部
【図１】
0003106810.tif 000003
【図２】
0003106810.tif 000004
【図３】
0003106810.tif 000005
【図４】
0003106810.tif 000006
【図５】
0003106810.tif 000007
【図６】
0003106810.tif 000008